(57)【要約】【課題】照明器具において、光出射面全体から均一に光を放射する。【解決手段】照明器具１は、器具の筐体２と、筐体２の中央部に設けられた器具の取付け部３と、取付け部３の周りに配設された複数の光源４と、光源４の周りであって光源４よりも筐体２の中央部寄りに配置された第１の反射板５と、を備える。第１の反射板５は、一部に光透過部５ａを有し、光源４から出射された光を第１の反射板５により筐体２の内面及び照明器具１の周縁方向へ反射させ、また、光透過部５ａを透過した光を光照射方向中央部へ向わせる。この構成によれば、第１の反射板５の光透過部５ａを透過した光が、取付け部３がある光照射方向中央部へ照射されるので、光源４からの出射光を照明器具１全体から均一に放射することができる。【選択図】図１
2013026075.tif 000002
【特許請求の範囲】
【請求項１】
器具の筐体と、前記筐体の中央部に設けられた器具の取付け部と、前記取付け部の周りに配設された複数の光源と、を備え、前記取付け部とは反対方向へ光照射する照明器具において、
前記光源の周りであって前記光源よりも前記筐体の中央部寄りに配置された第１の反射板と、
前記筐体内面に設けられた第２の反射板と、を備え、
前記第１の反射板は、一部に光透過部を有し、前記光源から出射された光を該第１の反射板により前記第２の反射板方向及び前記照明器具の周縁方向へ反射させ、前記光透過部を透過した光を光照射方向中央部へ向わせることを特徴とする照明器具。
【請求項２】
光照射側の面に光拡散カバーを備えていることを特徴とする請求項１に記載の照明器具。
【請求項３】
前記取付け部を覆うように配置された第３の反射板を更に備え、この第３の反射板は、前記第１の反射板の光透過部を透過した光を光照射側へ反射することを特徴とする請求項１又は請求項２に記載の照明器具。
【請求項４】
前記第１の反射板は、その断面形状が焦点を持つ円孤面であり、前記光源は、前記第１の反射板の焦点位置に配置された第１の光源と、前記焦点位置からずれた位置に配置された第２の光源と、を有することを特徴とする請求項１乃至請求項３のいずれか一項に記載の照明器具。
【請求項５】
前記第２の光源は、前記第１の反射板に対し前記第１の光源よりも遠くに配置されていることを特徴とする請求項４に記載の照明器具。
【請求項６】
前記第１の反射板は、その断面形状がパラボラ形状であることを特徴とする請求項１乃至請求項５のいずれか一項に記載の照明器具。
【発明の詳細な説明】
【技術分野】
【０００１】
本発明は、光源からの出射光を均一に照射する照明器具に関する。
【背景技術】
【０００２】
近年、ＬＥＤを光源とした照明器具は、スポットライトやダウンライト等の局所照明器具として用いられるだけでなく、ベースライトやシーリングライト等の居室全体を照明する主照明器具としても用いられている。主照明器具の中でも特に、シーリングライトは、一般家庭で用いられることが多く、使用者自らが容易に施工することができるように、天井に設置された給電部との接続が簡易であることが要求される。
【０００３】
この種のシーリングライトを図６（ａ），（ｂ）に示す。シーリングライト１０１は、ＬＥＤを用いた光源１０２と、光源１０２からの出射光を配光制御するレンズ１０３と、これらの上部を覆う筐体１０４と、光を拡散させる光拡散カバー１０５と、を備える。また、シーリングライト１０１は、その中央部に天井材１０６に固定するための取付け部１０７と、この取付け部１０７を保護するための取付け部カバー１０８と、を備える。
【０００４】
光源１０２は、シーリングライト１０１の中央部近傍に、その発光面をシーリングライト１０１の周縁部へ向けて配置されている。レンズ１０３は、光源１０２からの出射光をレンズ外壁内面で全反射させて、光拡散カバー１０５の周縁部に照射し、また、光源１０２からの出射光をレンズ中央部の凸レンズで拡散し、筐体１０４又は光拡散カバー１０５に照射する。筐体１０４の内面は、反射面となっており、レンズ１０３からの光を光拡散カバー１０５側に反射する。光拡散カバー１０５は、レンズ１０３を透過した光及び筐体１０４の内面で反射された光を拡散させる。
【０００５】
取付け部１０７は、天井材１０６に固定されたとき、天井材１０６側に設けられた給電部と電気的に接続され、光源１０２を発光させるための回路への電源が供給される。この取付け部１０７によって、シーリングライト１０１の施工が簡易となっている。
【０００６】
しかしながら、シーリングライト１０１は、上記のように施工性を簡易とするように構成されていることから、取付け部１０７及びこれを覆う取付け部カバー１０８の下方には、光源１０２からの出射光が届き難い構成となっている。そのため、シーリングライト１０１の中央部に光を照射することができず、点灯時にシーリングライト１０１の直下位置が暗くなり、また、シーリングライト１０１の中央部が暗く見えて、見栄えが悪くなる。
【０００７】
これに対して、取付け部の下端と照明器具の中央部との間に空間領域を設けて、照明器具の周縁部に配置された光源からの光をその中央部に向けて出射させる照明器具が知られている（例えば、特許文献１参照）。この構成によれば、光源からの出射光がその空間領域に入り込むので、照明器具の中央部にも光を照射することができる。
【先行技術文献】
【特許文献】
【０００８】
【特許文献１】特開２００８−３００２０３号公報
【発明の概要】
【発明が解決しようとする課題】
【０００９】
しかしながら、特許文献１に示される照明器具においては、器具サイズが大きくなると、光源と照明器具の中央部との距離が離れてしまうので、その中央部における光量が少なくなる。また、取付け部の下端と照明器具の中央部との距離が小さく、その空間領域が狭いので、その空間領域に入り込む光量が少なくなり、依然として照明器具の中央部から放射される光が少なく、照明器具の中央部が暗く見えることがある。
【００１０】
本発明は、上記課題を解決するためになされたものであり、光出射面全体から均一に光を放射することができる照明器具を提供することを目的とする。
【課題を解決するための手段】
【００１１】
本発明の照明器具は、器具の筐体と、前記筐体の中央部に設けられた器具の取付け部と、前記取付け部の周りに配設された複数の光源と、を備え、前記取付け部とは反対方向へ光照射する照明器具において、前記光源の周りであって前記光源よりも前記筐体の中央部寄りに配置された第１の反射板と、前記筐体内面に設けられた第２の反射板と、を備え、前記第１の反射板は、一部に光透過部を有し、前記光源から出射された光を該第１の反射板により前記第２の反射板方向及び前記照明器具の周縁方向へ反射させ、前記光透過部を透過した光を光照射方向中央部へ向わせることを特徴とする。
【００１２】
この照明器具において、光照射側の面に光拡散カバーを備えていることが好ましい。
【００１３】
この照明器具において、前記取付け部を覆うように配置された第３の反射板を更に備え、この第３の反射板は、前記第１の反射板の光透過部を透過した光を光照射側へ反射することが好ましい。
【００１４】
この照明器具において、前記第１の反射板は、その断面形状が焦点を持つ円孤面であり、前記光源は、前記第１の反射板の焦点位置に配置された第１の光源と、前記焦点位置からずれた位置に配置された第２の光源と、を有することが好ましい。
【００１５】
この照明器具において、前記第２の光源は、前記第１の反射板に対し前記第１の光源よりも遠くに配置されていることが好ましい。
【００１６】
この照明器具において、前記第１の反射板は、その断面形状がパラボラ形状であることが好ましい。
【発明の効果】
【００１７】
本発明に係る照明器具によれば、光源からの出射光のうち第１の反射板により反射された光は、第２の反射板で更に反射され、又は照明器具の周縁方向へ向かい、取付け部とは反対方向の光照射方向へ照射される。また、光源からの出射光のうち第１の反射板の光透過部を透過した光が、取付け部がある光照射方向中央部へ照射されるので、光源からの出射光を照明器具全体から均一に放射することができる。
【図面の簡単な説明】
【００１８】
【図１】（ａ）は本発明の第１の実施形態に係る照明器具の側断面図、（ｂ）は同照明器具が備える第１の反射板の斜視図、（ｃ）は天井に設置された同照明器具を下方から見たときの上面図。
【図２】（ａ）は同照明器具の変形例を示す上面図、（ｂ）は別の変形例を示す上面図。
【図３】（ａ）は本発明の第２の実施形態に係る照明器具の側断面図、（ｂ）は同照明器具が備える第１の反射板の斜視図、（ｃ）は同照明器具が備える反射カバーの斜視図。
【図４】同反射カバーの変形例を示す斜視図。
【図５】（ａ）は本発明の第３の実施形態に係る照明器具の側断面図、（ｂ）は同照明器具が備える第１の反射板の斜視図。
【図６】（ａ）は従来のシーリングライトの側断面図、（ｂ）は同シーリングライトの斜視図。
【発明を実施するための形態】
【００１９】
以下、本発明の第１の実施形態に係る照明器具について、図１（ａ）〜（ｃ）を参照して説明する。ここでは、本実施形態の照明器具１が、天井取付型のシーリングライトを例とする。照明器具１は、器具の筐体２と、筐体２の中央部に設けられた器具の取付け部３と、取付け部３の周りに配設された複数の光源４と、光源４の周りであって光源４よりも筐体２の中央部寄りに配置された第１の反射板５と、を備えている。また、照明器具１は、光照射側の面に光拡散カバー６を備える。以下の説明において、取付け部３の下方にある光拡散カバー６の中心部分を中央部６ａといい、光拡散カバー６の周縁から所定領域含んだ部分を周縁部６ｂといい、その他の光拡散カバー６の部分を中間部６ｃという。図１（ａ）中の矢印は、光源４からの出射光の光路を示している。なお、図１（ｃ）においては、光拡散カバー６の図示を省略している。
【００２０】
本実施形態の照明器具１は、取付け部３が居室の天井に設置された給電部７に取付けられることにより、給電部７と照明器具１との電気的接続と、天井への固定とがなされる。また、照明器具１の筐体２と天井との間には、これらの間隔を保持し、照明器具１の固定を安定させる保持部材８が配設される。この保持部材８は、取付け部３を囲うように配され、照明器具１の施工時に予め天井にネジ等により固定される、又は筐体２の外面に固定若しくは一体化される。
【００２１】
筐体２は、照明器具１の上面側を構成する部材であり、天井と対向する面とは反対側の面（以下、筐体内面２ａ）に、光源４及び第１の反射板５が固定される。この筐体内面２ａは反射性を有し、第２の反射板として形成される。筐体２の材料として、例えばアルミニウム等の金属材料が好適に用いられる。また、筐体２として、例えば、ポリエチレンテレフタレート（ＰＥＴ）樹脂を所定形状に加工した部材を用い、筐体内面２ａに鏡面仕上げ又は白色塗料の塗布等により反射性を持たせたものを用いてもよい。この場合、光源４が発する熱により照明器具１の内部が高温に曝されることがあるので、耐熱性及び耐久性に優れた材料が用いられる。筐体２の形状は、照明器具１の外形を画定する部材であり、図１（ｃ）に示した円板形状に限らず、例えば角形状等であってもよい。
【００２２】
取付け部３は、例えば、所定の厚みを有する皿形状に形成されており、筐体２の中央部に配置され、器具外側へ突出したフック状の端子（図示せず）を備える。その端子が給電部７に形成された端子受け部（図示せず）に電気的に接続されることにより、光源４を発光させるための回路への電源の供給を可能とすると共に、照明器具１の天井への固定を実現する。これにより、照明器具１は施工を簡易とすることができる。なお、取付け部３の内部には、例えば上記の回路に接続される配線等が収納されている。
【００２３】
光源４は、取付け部３の周りを囲むように筐体内面２ａ上に配置されている。光源４として、本例では白色光を出射するＬＥＤモジュールが好適に用いられる。光源４の数は、特に限定されることなく、製造コスト又は所望の明るさ等に応じて、適宜選択される。光源４に用いられるＬＥＤモジュールは、例えばＬＥＤチップが実装基板（図示せず）上に実装され、ＬＥＤチップがその周囲を蛍光体等を含有する樹脂材料により覆われたものである。筐体内面２ａ上には、給電用配線パターンを有する配線基板（図示せず）が設けられており、この配線基板を介して光源４が筐体２に保持されている。
【００２４】
第１の反射板５は、光源４と取付け部３の間に位置し、取付け部３の周りを囲むように設けられ、光源４からの出射光を反射して、主として光拡散カバー６の周縁部６ｂ及び中間部６ｃへ配光制御する。本実施形態においては、第１の反射板５は、光源４からの出射光を透過させる光透過部５ａをその一部に有している。この光透過部５ａは、第１の反射板５に形成された複数の孔部から成る。複数の孔部は、光源４からの出射光を光拡散カバー６の中央部６ａへ向かって透過させるように第１の反射板５に形成されている。孔部の形成方法として、例えば第１の反射板５にパンチングを施す方法等が挙げられる。
【００２５】
第１の反射板５の形状は、筐体２に均一に光を照射し、かつ光透過部５ａを通って、光を照明器具１の中央部に照射することができるような形状であれば特に限定されないが、断面形状がパラボラ形状であることが好ましい。こうすれば、パラボラ形状の焦点に光源４を配置したときに、光源４からの光が第１の反射板４によって略水平方向に反射されるので、照明器具１の周縁部へ放射される光量を多くすることができる。また、広い範囲に光を放射できるので、光の一部が照明器具１の取り付け面（例えば天井）にも照射され、アンビエント照明としての効果を得ることができる。
【００２６】
第１の反射板５の材料として、例えば金属製部材、金属表面処理部材、又は樹脂成形部材等を用いることができる。金属性部材として、例えばステンレス（ＳＵＳ３０４）、アルミ、又はアルマイト等が挙げられる。金属表面処理部材として、例えばクロムメッキ、アルミ蒸着、金メッキ、金蒸着、銀メッキ、銀蒸着品等が挙げられる。樹脂成形部材として、アルミ等の金属を樹脂の中に含有した金属フレークを成形したものが挙げられる。
【００２７】
本実施形態において、第１の反射板５は、天井に設置された照明器具１を室内側（下方）から見たときに、複数の第１の反射板５が、取付け部３の周りを六角形状に囲むように配置されている（図１（ｃ）参照）。なお、この構成に限らず、例えば、図２（ａ）の変形例に示すように、取付け部３の周りを囲むように、環状の第１の反射板５が筐体２上に配置されてもよい。また、例えば、図２（ｂ）の別の変形例に示すように、筐体２の形状が角形である場合には、これに対応して、複数の第１の反射板５が枠状に配置されてもよい。なお、図２（ａ），（ｂ）においては、光拡散カバー６の図示を省略している。
【００２８】
光拡散カバー６は、碗状又はドーム状等に形成された汎用のシーリング部材であり、照明器具１全体の下部を覆うように、筐体２の外周縁に取り付けられる。光拡散カバー６として、例えばポリカーボネート又はアクリル等の透光性を有する樹脂材料を碗形状に成形し、その表面に微細な凹凸を形成したもの又は樹脂材料中に拡散粒子等を含有させたものを用いることができる。
【００２９】
本実施形態の照明器具１において、光源４からの出射光は、第１の反射板５、又は直接的に光拡散カバー６の周縁部６ｂ若しくは中間部６ｃに照射される（上述した図１（ａ）参照）。光源４から第１の反射板５に照射された光のうち、第１の反射板５で反射されることなく、第１の反射板５の光透過部５ａを透過した光は、光拡散カバー６の中央部６ａ又は中間部６ｃに照射される。光源４から第１の反射板５に照射された光のうち、第１の反射板５により反射された光は、筐体２へ照射されて反射された後、光拡散カバー６の周縁部６ｂ又は中間部６ｃへ照射される。
【００３０】
本実施形態の照明器具１によれば、光源４からの出射光のうち、第１の反射板５により反射された光は、筐体内面２ａ（第２の反射板）で更に反射され、又は照明器具１の周縁方向へ向かう。また、光源４からの出射光のうち、第１の反射板５よりも外周方向への出射光は、直接的に光拡散カバー６の中間部６ｃへ向かう。これにより、光源４からの出射光の多くは、取付け部３とは反対側にある光拡散カバー６の周縁部６ｂ又は中間部６ｃへ照射される。また、光源４からの出射光のうち第１の反射板５の光透過部５ａを透過した光は、取付け部３がある光照射方向中央部へ照射される。その結果、光源４からの出射光を照明器具１全体から均一に放射することができる。
【００３１】
次に、本発明の第２の実施形態に係る照明器具１について、図３（ａ）〜（ｃ）及び図４を参照して説明する。本実施形態の照明器具１は、取付け部３を覆うように配置された反射カバー９（第３の反射板）を備えたものであり、この反射カバー９は、第１の反射板５の光透過部５ａを透過した光を光照射側へ反射する。また、本実施形態においては、光透過部５ａが、第１の反射板５と筐体２との界面に沿って設けられている。図３中の矢印は光源４からの出射光の光路を示している。
【００３２】
反射カバー９は、ドーム状に形成されており、その側面９ａが、照射された光を光拡散カバー６の中間部６ｃへ反射することなく、光拡散カバー６の中央部６ａへ反射するように構成されている。反射カバー９の形状は、図３（ｃ）に示す例に限定されず、例えば、図３（ｃ）に示す変形例のような四角錐状、又は円錐状、円錐台状、角錐状、角錐台状等であってもよい。反射カバー９の材料として、第１の反射板５と同様の材料を用いることができる。他の構成は、上記第１の実施形態と同様である。
【００３３】
本実施形態の照明器具１において、光源４からの出射光は、第１の反射板５で反射され、又は直接的に光拡散カバー６の周縁部６ｂ若しくは中間部６ｃに照射される。また、光源４から第１の反射板５に照射された光のうち、第１の反射板５で反射されることなく、光透過部５ａを透過した光は、反射カバー９に照射されて反射された後、光拡散カバー６の中央部６ａに照射される。光源４から第１の反射板５に照射された光のうち、第１の反射板５により反射された光は、筐体２へ照射されて反射された後、光拡散カバー６の周縁部６ｂ又は中間部６ｃへ照射される。
【００３４】
本実施形態の照明器具１によれば、光透過部５ａが第１の反射板５と筐体２との界面に沿って設けられ、反射カバー９が取付け部３を覆うように設けられているので、光源４から取付け部３側へ出射された光を、光拡散カバー６の中央部６ａに照射することができる。従って、光源４から取付け部３側へ出射した光を効率的に利用することができる。
【００３５】
また、本実施形態の照明器具１においても、上記のように光拡散カバー６の中央部６ａに光が照射されると共に、光源４からの出射光及び第１の反射板５により反射された光が、光拡散カバー６の周縁部６ｂ又は中間部６ｃに照射される。従って、上記第１の実施形態と同様に、光源４からの出射光を光拡散カバー６の表面全体に広げて、照明器具１の光出射面全体から均一に放射することができる。
【００３６】
次に、本発明の第３の実施形態に係る照明器具１について、図５（ａ），（ｂ）を参照して説明する。照明器具１は、第１の反射板５の断面形状が焦点を持つ円孤面であり、光源４が第１の反射板５の焦点位置に配置された第１の光源４ａと、焦点位置からずれた位置に配置された第２の光源４ｂと、を有するものである。第１の光源４ａと第２の光源４ｂとは、互いに所定の間隔離れ、第１の反射板５と筐体２との界面に沿って筐体内面２ａ上に配置されている。なお、本例においても、第１の光源４ａ及び第２の光源４ｂとして、ＬＥＤが用いられている。他の構成は、上記第２の実施形態と同様である。また、図５（ａ）中の実線矢印は第１の光源４ａからの出射光の光路を示し、点線矢印は第２の光源４ｂからの出射光の光路を示している。
【００３７】
本実施形態の照明器具１においては、第１の光源４ａが第１の反射板５の焦点位置にあるので、第１の光源４ａから第１の反射板５に照射された光は、水平方向へ導出され、主として光拡散カバー６の周縁部６ｂ（図１（ａ）参照）に照射される。また、第１の光源４ａから第１の反射板５に照射されない光は、主として光拡散カバー６の中間部６ｃに照射される。第２の光源４ｂは、第１の反射板５の焦点位置からずれた位置にあるので、第１の光源４ａからの出射光のような配光制御はされず、例えば出射光が直接的に又は第１の反射板５及び筐体２で反射されて、主として光拡散カバー６の中間部６ｃ（図１（ａ）参照）へ照射される。そのため、本実施形態の照明器具１によれば、第１の光源４ａからの出射光により照明器具１の周縁部へ放射される光を多くしながらも、第２の光源４ｂからの出射光により光拡散カバー６全体に均一に光を照射することができる。従って、その出射光を照明器具１の光出射面全体からムラなく均一に放射することができる。
【００３８】
第２の光源４ｂは、第１の反射板５の筐体２への取付箇所に対して、第１の光源４ａよりも遠くに配置されていることが好ましい。こうすれば、第２の光源４ｂが第１の反射板５に接近している場合に比べて、熱が篭り難くなるので、第１の光源４ａ及び第２の光源４ｂの放熱性が良くなり、照明器具１の発光効率を向上させることができる。
【００３９】
本発明は上記実施形態の構成に限られず、発明の趣旨を変更しない範囲で種々の変更が可能である。例えば、第１の反射板５の光透過部５ａは、光を透過させるものであれば、その形状は特に限定されず、例えば、上記第１の実施形態の光透過部５ａと上記第２の実施形態の光透過部５ａとを組み合わせたものであってもよい。また、光透過部５ａは、例示した孔部に限らず、当該箇所に反射性の無い透光性材料を用いてもよく、また、孔部にレンズ等を取り付けてもよい。
【符号の説明】
【００４０】
１  照明器具
２  筐体
２ａ  筐体内面（第２の反射板）
３  取付け部
４  光源
４ａ  第１の光源
４ｂ  第２の光源
５  第１の反射板
６  光拡散カバー
９  反射カバー（第３の反射板）
【図１】
2013026075.tif 000003
【図２】
2013026075.tif 000004
【図３】
2013026075.tif 000005
【図４】
2013026075.tif 000006
【図５】
2013026075.tif 000007
【図６】
2013026075.tif 000008